(57)【要約】      （修正有）【課題】滑りパイプと既設折板屋根材との接点部の変更を、滑りパイプを回転させて、３６０度どの位置にも設定でき、その変更作業も容易で、更に、滑りパイプの交換も簡単なものとした折板屋根材運搬具とする。【解決手段】載置テーブル下面に、載置テーブルに沿った長尺体であり、短尺方向は滑りパイプを銜えるに適した幅に形成され、載置テーブル下面に接する上面が平坦部とされ、長尺方向に沿った両側下方に挟持片が形成され、且つ挟持片の幅を変動可能に形成されたパイプ銜え具を装着する。パイプ銜え具には、挟持片の間隔を調整する締め具を長尺方向に複数設ける。パイプ銜え具の締め具の調整により滑りパイプをパイプ銜え具に着脱自在に挟持する。【選択図】図３
0003126330.tif 000002
【実用新案登録請求の範囲】
【請求項１】
成型折板屋根材が載置される載置テーブルと運搬用取っ手を有し、載置テーブル下面に丸パイプからなる滑りパイプを設け、折板屋根材の長尺方向に交差する新しく葺こうとする屋根の方向に成型折板屋根材を運搬する折板屋根材運搬具において、
載置テーブル下面に、載置テーブルに沿った長尺体であり、短尺方向は滑りパイプを銜えるに適した幅に形成され、載置テーブル下面に接する上面が平坦部とされ、長尺方向に沿った両側下方に挟持片が形成され、且つ挟持片の幅を変動可能に形成されたパイプ銜え具を装着し、
該パイプ銜え具には、挟持片の間隔を調整する締め具を長尺方向に複数設けると共に、該締め具の調整により滑りパイプをパイプ銜え具に着脱自在に挟持していることを特徴とする折板屋根材運搬具。
【請求項２】
運搬用取っ手の支柱が、立て状態保持ガイドを有する開閉具に摺動自在で、且つ、立て状態保持ガイドを脱した高さで回動自在に装着されたことを特徴とする請求項1記載の折板屋根材運搬具。
【請求項３】
滑りパイプの先端部に、端部が先細りとなった衝突防止部材を装着したことを特徴とする請求項１または２記載の折板屋根材運搬具。
【請求項４】
載置テーブルの運搬用取っ手と反対側の先端部付近にロープ取付用穴を形成した請求項1または２または３記載の折板屋根材運搬具。
【考案の詳細な説明】
【技術分野】
【０００１】
本考案は、屋根上にて利用する折板屋根材運搬具であって、主として成型折板屋根材を長尺方向に交差する新しく葺こうとする屋根の方向に運搬するための運搬具の改良に関するものである。
【背景技術】
【０００２】
最近大型化している商店の店舗や工場その他の建物の屋根材には、折板またはルーフデッキの名称で呼ばれている屋根材がある。ここでは折板屋根材と称する。この折板屋根材は、建物の大型化に合わせて長尺化している。長い折板屋根材では、１本で長さが５０〜６０ｍ程あり、継ぎ目をもたずに１本物で成型加工され、それを用いて屋根を葺くような工法が主流である。
【０００３】
折板屋根材の成型には、地上現場成型する方法と屋根上成型する方法とが存在した。しかし、地上現場成型にしろ、屋根上成型にしろ、成型完了後の折板屋根材を屋根上にて葺こうとする横方向（長尺方向に交差する新しく葺こうとする屋根の方向）へ運搬しなければならなかった。この横方向への運搬のために、折板型長尺屋根材の横移動装置があった。この装置では、足場材やレール材を既設折板屋根材の上に敷設し、その上を横方向に走行させる装置であった。
【０００４】
この足場材やレール材の屋根上での敷設作業は屋根に傷をつけるおそれがあり、面倒な上、危険な作業でもあり、より安全で簡単に運搬できる折板屋根材運搬具の開発が望まれていた。そこで特許文献１に示されるように、屋根に足場材やレール材のような特別な部材を設置することなく利用できる上、重量の軽量化が図れる折板屋根材運搬具が提供された。
【０００５】
しかし、滑りパイプが磨り減って既設折板屋根のハゼ部に傷がつく危険性が生じた場合、特許文献１記載の考案にあっても取付ビスを外して、滑りパイプを回転させ、接点部をずらして再度取り付ける方法が開示されているが、作業が面倒であった上、取り付けで生じたビス穴部分は傷となっており、その傷の部分は接点部にすることはできず、接点部の変更機構としては変更箇所に限定のある不完全なものであった。
【０００６】
【特許文献１】登録第３１０８３４３号登録実用新案公報
【考案の開示】
【考案が解決しようとする課題】
【０００７】
本考案は、滑りパイプの取付方法を変更することにより、滑りパイプと既設の折板屋根材との接点部の変更を、滑りパイプを回転させて、３６０度どの位置にも設定することができるものとするとともに、その変更作業も容易とし、更に、滑りパイプの交換も簡単なものとした折板屋根材運搬具を提供することを目的とする。更に、運搬用取っ手の開閉具も、簡単な操作で利用でき、且つ、故障のない耐久性の強いものとすることも目的とする。
【課題を解決するための手段】
【０００８】
上記課題を解決するため第１の考案は、成型折板屋根材が載置される載置テーブルと運搬用取っ手を有し、載置テーブル下面に丸パイプからなる滑りパイプを設け、折板屋根材の長尺方向に交差する新しく葺こうとする屋根の方向に成型折板屋根材を運搬する折板屋根材運搬具に次の手段を採用する。
第１に、載置テーブル下面に、載置テーブルに沿った長尺体であり、短尺方向は滑りパイプを銜えるに適した幅に形成され、載置テーブル下面に接する上面が平坦部とされ、長尺方向に沿った両側下方に挟持片が形成され、且つ挟持片の幅を変動可能に形成されたパイプ銜え具を装着する。
第２に、該パイプ銜え具には、挟持片の間隔を調整する締め具を長尺方向に複数設ける。  第３に、パイプ銜え具の締め具の調整により滑りパイプをパイプ銜え具に着脱自在に挟持する。
【０００９】
第２の考案は、第１の考案に、運搬用取っ手の支柱が、立て状態保持ガイドを有する開閉具に摺動自在で、且つ、立て状態保持ガイド位置を脱した高さで回動自在に装着されたことを付加した折板屋根材運搬具としたので、簡単な操作で利用でき、且つ、故障のない耐久性の強い折板屋根材運搬具となった。
折板屋根材の運搬作業は、一定の場所より目的の場所まで数十回に渡る運搬が行われ、その都度、運搬用取っ手の立て倒しが行われ、時には足のつま先で蹴って折り畳む作業員もいて、従来の蝶番式の開閉具では故障の原因の１つにもなってしまっていたが、第２の考案により、解消された。
【００１０】
第３の考案は、第１または第２の考案に、滑りパイプの先端部に、端部が先細りとなった衝突防止部材を装着する手段を付加した折板屋根材運搬具である。第４の考案は、第１または第２または第３の考案に、載置テーブルの運搬用取っ手と反対側の先端部付近にロープ取付用穴を形成する手段を付加した折板屋根材運搬具である。
【考案の効果】
【００１１】
第１の考案は、次のような効果を発揮する。
第１に、成型折板屋根材が載置される載置テーブルと運搬用取っ手を有し、載置テーブル下面に２本の丸パイプからなる滑りパイプを設け、折板屋根材の長尺方向に交差する新しく葺こうとする屋根の方向に成型折板屋根材を運搬する折板屋根材運搬具であるので、載置テーブルに載った成型折板屋根材を運搬用取っ手を人の手で押すことにより、新しく葺こうとする屋根の方向に簡単に運搬することができるものである。
【００１２】
第２に、載置テーブル下面に取り付けられるパイプ銜え具が、長尺方向に沿った両側下方に挟持片を形成したものとされ、該挟持片の間隔を調整する締め具を長尺方向に複数設け、パイプ銜え具の締め具の調整により滑りパイプをパイプ銜え具に着脱自在に挟持したものであるので、滑りパイプの保持にビス取付孔のような傷がつくことがなく、滑りパイプと既設の折板屋根材との接点部の変更を、滑りパイプを回転させて、３６０度どの位置にも設定することもできるようになった。その上、締め具により挟持片の間隔を調整するものであるので、その変更作業も容易なものとなった。更に、滑りパイプの交換も簡単なものとなった。
【００１３】
載置テーブル下面に取り付けられるパイプ銜え具が、載置テーブルに沿った長尺体であり、短尺方向は滑りパイプを銜えるに適した幅に形成され、長尺方向に沿った両側下方に挟持片が形成されたものであるので、載置テーブルの補強になり、載置テーブルの軽量化を図ることが可能となった。更に、パイプ銜え部の載置テーブル下面に接する上面が平坦部とされているので、載置テーブルとパイプ銜え具の取り付けが簡単でしっかりしたものとなった。
【００１４】
第２の考案の効果ではあるが、滑りパイプの先端部に、端部が先細りとなった衝突防止部材を装着する手段を付加した折板屋根材運搬具であるので、滑りパイプを真っ直ぐなものとしても、移動方向先端部が滑りパイプの下に存在する既設の折板屋根材等に衝突することなくスムーズな移動ができるものとなった。このため第２の考案では一組の滑りパイプで、特許文献１（登録３１０８３４３号実用新案公報）記載の以前の滑りパイプの形式に比べ、長さを有効に用いることができ、数倍の運搬ができるようになった。
【００１５】
第３の考案の効果ではあるが、載置テーブルの運搬用取っ手と反対側の先端部付近にロープ取付用穴を形成した折板屋根材運搬具とすることで、運搬用取っ手のみを押しての移動では重いような場合には、ロープ取付用穴にロープをかけ、前方からもロープで引くことができ便利なものとなった。
【考案を実施するための最良の形態】
【００１６】
以下、図示の実施例と共に最良の形態について説明する。折板屋根材運搬具１は、図１１に示されるように、折板屋根材２の長尺方向に交差する新しく葺こうとする屋根の方向（図１１中下方向）に折板屋根材２を運搬するため、折板成型機５の折板屋根材２の送り出し口６側で、送り出される折板屋根材２に対し、水下より水上に複数個配置して、複数の折板屋根材運搬具１に折板屋根材２を載置して利用するものである。
【００１７】
図１は、運搬用取っ手を立てた状態での折板屋根材運搬具の斜視図であり、図２は、折板屋根材運搬具の屋根上利用時の側面説明図である。図中符号１は、折板屋根材運搬具であり、折板屋根材運搬具１は、折板屋根材２が載置される載置テーブル３と、滑りパイプ１１と、パイプ銜え具１２と、締め具８と、運搬用取っ手４及びその開閉金具７を有している。
【００１８】
載置テーブル３は、図１に示されるように平板状の１枚の板材を用いており、実施例では厚さ１５ｍｍ程度の防水ベニヤを用いているが、塩ビ系の平板や、アルミ系平板を用途に応じて用いることができる。尚、図１の載置テーブル３の進行方向前方部（図１中左下方部）には、ロープ取付用穴９が開けられており、該ロープ取付穴９にロープを結びつけ引っ張っていくことができるようにされている。尚、載置テーブル３は、折板屋根材２が載置されることを主たる役割とするが、他の荷物を載せうるよう平板状の板材であることが望ましい。尚、載置テーブル３には、図１に示されるように、パイプ銜え具１２のビス取付穴１０が、左右のパイプ銜え具１２に対応して各数個ずつ（図１の実施例では左右各５カ所）形成されている。
【００１９】
載置テーブル３の下面には、２本のパイプ銜え具１２に、各々１本の滑りパイプ１１が装着されている。滑りパイプ１１は、硬質塩化ビニルの丸パイプを用いており、該滑りパイプ１１により、既設折板屋根１４の上面を滑って移動するものであるので、折板屋根材運搬具１の重心を低く構成することができ、安定性が高く、運搬時に折板屋根材運搬具１が転倒する危険のないものとすることができる。
【００２０】
滑りパイプ１１は、丸パイプとすることにより、既設折板屋根１４のハゼ部１５と滑りパイプ１１の接点の摩擦を少なくし、折板屋根材運搬具１を軽く押すだけで折板屋根材２を運べるものとなる。更に、滑りパイプ１１である硬質塩化ビニルパイプは、硬質ではあるが既設折板屋根１４より軟らかい素材とされ、摩擦時に滑りパイプ１１の塩化ビニルパイプは磨り減るが、既設折板屋根１４には傷がつきにくいものとなっている。尚、滑りパイプ１１の長さは、折板屋根の折板山３部以上の長さとされており、実施例では直線部の長さは１５５０ｍｍとされている。
【００２１】
滑りパイプ１１の前後両端には、図８に示すように先端中央に向かって先細りに形成された衝突防止部材１３が取り付けられている。これにより、運搬進行中に滑りパイプ１１の先端及び後端部分が既設折板屋根１４のハゼ部１５に当たらないように加工されている。
【００２２】
図３は、図１におけるＡ−Ａ線部分の断面図であり、図３に示されるように、パイプ銜え具１２は、載置テーブル３の下面に取り付け、固定されている。パイプ銜え具１２は、メッキが施された薄鉄板またはアルミ板で作成されたもので、図１及び図２に示されるように載置テーブル３に沿った長尺体であり、且つ、図３乃至図４に示されるように短尺方向は滑りパイプ１１を銜えるに適した幅に形成され、載置テーブル３の下面に接する上面が平坦部２６とされ、長尺方向に沿った両側下方に挟持片２７が形成され、且つ挟持片２７の幅を変動可能に形成されたものである。
【００２３】
図３及び図４に示されるパイプ銜え具１２は、直接滑りパイプ１１を銜える構造のもので、パイプ銜え具１２の上面の平坦部２６の所定位置（載置テーブル３のビス取付穴１０に対応する位置）には、図示されていないビス貫通穴が形成されている。パイプ銜え具１２は、左右とも図３に示すように載置テーブル３側より皿ビス１７を挿入し、ワッシャ１９を介して、パイプ銜え具１２の平坦部２６下方のナット１８とで載置テーブル３に取り付けられ、固定されている。
【００２４】
パイプ銜え具１２は、図３乃至４に示されるように、左右の挟持片２７が滑りパイプ１１を銜えて固定するための締め具８が、パイプ銜え具１２の長尺方向に数カ所（実施例では図２に示されるように５カ所）配備されている。締め具８は、左右の挟持片２７の取付穴を貫通する長ボルト２０をパイプ銜え具１２の外側に位置する蝶ナット２１で、ワッシャ１９を介して着脱自在に固定している。
【００２５】
図３乃至図４に示す締め具８は、長ボルト２０と蝶ナット２１を用いるものであるが、図９及び図１０は、上記締め具８とは別の例として特記するものであり、同図に示すように、左右の挟持片２７の間を連結棒２９に回転軸２５をもって回動自在に装着されたワンタッチ締め具２２を用いることも可能である。このワンタッチ締め具２２は、回転するワンタッチ締め具２２の挟持片２７と接する肉薄部２３を利用して、図１０（Ａ）のようにパイプ銜え具１２をゆるめ、滑りパイプ１１を回転及び着脱自在とし、肉厚部２４を利用して図１０（Ｂ）のように締め付けパイプ銜え具１２に滑りパイプ１１を固定している。
【００２６】
尚、滑りパイプ１１は、数現場使用することで、ハゼ部１５との接点部に摩擦が生じ、多少磨り減ったり、接点部に傷がつくことがある。その際、締め具８またはワンタッチ締め具２２をゆるめることにより、滑りパイプ１１は３６０度自由に回転可能であるので、接点部をずらして、再度締め付け固定することにより、また新しい接点部分となり、既設折板屋根１４のハゼ部１５に傷が生じ難くなる。
【００２７】
運搬用取っ手４は、載置テーブル３に対して、押すために立てた状態から、水平位置まで倒すことができるよう、開閉金具７を介してパイプ銜え具１２に回転固定可能に装着されている。運搬用取っ手４を立てた状態（上げた状態）で、運搬用取っ手４が作業者の握り位置にある高さとされている。
【００２８】
開閉金具７は、運搬用取っ手の支柱３０の立て状態保持ガイド３１及び水平位置保持ガイド３２を有する。水平位置保持ガイド３２は、図６に示されるように、上方が開放され底面と両側板のみ有する断面略コ字状のガイドである。立て状態保持ガイド３１が、水平位置保持ガイド３２の一端より下方に向かって、運搬用取っ手４が適正高さになる位置に位置するような角度を有して、略くの字状に一体形成されている。立て状態保持ガイド３１は、支柱３０をほぼぴったりと囲い込み、内側で支柱３０が摺動自在なるような中空部を有する形状で作製されている。該立て状態保持ガイド３１の上方で水平位置保持ガイド３２との交差付近には、支柱３０の固定用ボルト穴３３が開けられている。
【００２９】
支柱３０の下端部付近には、固定ボルト３４用の長窓３５が開けられており、固定ボルト３４により開閉金具７と支柱３０は長窓３５を介して固定及び回転可能に連結されている。長窓３５の長さは、支柱３０の下端が、立て状態保持ガイド３１の内部底面付近から、支柱３０の下端が立て状態保持ガイド３１を脱する位置まで移動可能な長さとされている。このようにして支柱３０は、開閉金具７に摺動自在で、且つ、立て状態保持ガイド３１を脱した高さで回動自在に装着されている。
【００３０】
運搬用取っ手４は、引き上げられ支柱３０の下端が立て状態保持ガイド３１を脱した位置で、固定ボルト３４を軸として回転させて倒す（下げた状態）ことにより、不要時の倉庫等への片づけや車等での運搬時に場所をとらずに整理できる利便性が確保される。更に、水平に倒した状態であれば、折板屋根材２を人力で折板屋根材運搬具１の運搬用取っ手４側から載せ下ろしの作業で、邪魔にはならず、低姿勢で容易に行える利点がある。
【００３１】
次に本実施例の使用方法の一例を示すと、図１１に示される折板成型機５で折板屋根材２の成型に入り、水下より水上に成型された折板屋根材２を押し上げ、折板用成型ローラの上を通過し全長成型が終了する。このとき折板屋根材２は、折板用ローラにより折板屋根材運搬具１の上方に離れて保持されている。その後、折板用成型ローラを下げ、折板屋根材２を折板屋根材運搬具１の載置テーブル３の上に載せる。
【００３２】
続いて、各所に設置された複数の折板屋根材運搬具１に載せられた折板屋根材２を運ぶため、運搬用取っ手４を水平状態より持ち上げ、固定し、折板屋根材２の全長各所に設置されている折板屋根材運搬具１を一斉に押し出せば目的の場所に長い折板屋根材２を運ぶことができるのである。
【図面の簡単な説明】
【００３３】
【図１】本実施例における運搬用取っ手を立てた状態での折板屋根材運搬具の斜視図
【図２】同側面説明図
【図３】載置テーブルと滑りパイプとパイプ銜え具の関係を示す部分拡大断面図
【図４】パイプ銜え具と締め具との関係を示す拡大正面図
【図５】運搬用取っ手の開閉具の取付状態を示す説明図
【図６】開閉具の斜視図
【図７】運搬用取っ手を倒した状態より立てた状態への過程を示す説明図で、（Ａ）は倒した状態を示し、（Ｂ）は立てる途中の状態を示し、（Ｃ）は立てた状態を示す。
【図８】衝突防止部材の説明図
【図９】締め具の他実施例を示す説明図
【図１０】締め具の他実施例での締め付け状態を示す説明図で、（Ａ）は開放状態を示す図で、（Ｂ）は締め付け状態を示す図である。
【図１１】折板屋根材運搬具を利用した屋根上成型施工方法の平面説明図である。
【符号の説明】
【００３４】
１．．．．．折板屋根材運搬具    
２．．．．．折板屋根材
３．．．．．載置テーブル    
４．．．．．運搬用取っ手
５．．．．．折板成型機
６．．．．．送り出し口
７．．．．．開閉金具
８．．．．．締め具
９．．．．．ロープ取付用穴
１０．．．．ビス取付穴
１１．．．．滑りパイプ
１２．．．．パイプ銜え具
１３．．．．衝突防止部材
１４．．．．既設折板屋根
１５．．．．ハゼ部
１６．．．．補強部材
１７．．．．皿ビス
１８．．．．ナット
１９．．．．ワッシャ
２０．．．．長ボルト
２１．．．．蝶ナット
２２．．．．ワンタッチ締め具
２３．．．．肉薄部
２４．．．．肉厚部
２５．．．．回転軸
２６．．．．平坦部
２７．．．．挟持片
２８．．．．アングル
２９．．．．連結棒
３０．．．．支柱
３１．．．．立て状態保持ガイド
３２．．．．水平位置保持ガイド
３３．．．．固定用ボルト穴
３４．．．．固定ボルト
３５．．．．長窓
【図１】
0003126330.tif 000003
【図２】
0003126330.tif 000004
【図３】
0003126330.tif 000005
【図４】
0003126330.tif 000006
【図５】
0003126330.tif 000007
【図６】
0003126330.tif 000008
【図７】
0003126330.tif 000009
【図８】
0003126330.tif 000010
【図９】
0003126330.tif 000011
【図１０】
0003126330.tif 000012
【図１１】
0003126330.tif 000013